(57)【要約】【課題】透過状態における外光の映り込みや反射状態における二重像が抑制された液晶パネルを提供する。【解決手段】液晶パネル１００は、反射状態においては、第１反射型偏光部材２１側から入射して液晶素子１０を透過した光が、第２反射型偏光部材２２の反射軸に沿う偏光軸の光となり、第２反射型偏光部材２２で反射され、前記透過状態においては、第１反射型偏光部材２１側から入射して液晶素子１０を透過した光が、第２反射型偏光部材２２の反射軸と交差する透過軸に沿う偏光軸の光となり、第２反射型偏光部材２２を透過する。第１反射型偏光部材２１は、透光性の基材の一方の面側に複数の金属線を所定間隔で形成してなり、前記金属線は、明所視で人間の感度が略最大となる波長の反射率が鏡の反射面として用いられる材料よりも低い材料からなる。【選択図】図１
2018180470.tif 000002
【特許請求の範囲】
【請求項１】
電圧の印加に応じて透過状態と反射状態とに切り替わる液晶パネルであって、
液晶層と、前記液晶層に前記電圧を印加するための透明電極とを含む液晶素子と、
前記液晶素子の一方側に設けられた第１反射型偏光部材と、
前記液晶素子の他方側に設けられ、前記第１反射型偏光部材と前記液晶素子を挟んで対向する第２反射型偏光部材と、を備え、
前記反射状態においては、前記第１反射型偏光部材側から入射して前記液晶素子を透過した光が、前記第２反射型偏光部材の反射軸に沿う偏光軸の光となり、前記第２反射型偏光部材で反射され、
前記透過状態においては、前記第１反射型偏光部材側から入射して前記液晶素子を透過した光が、前記第２反射型偏光部材の反射軸と交差する透過軸に沿う偏光軸の光となり、前記第２反射型偏光部材を透過し、
前記第１反射型偏光部材は、透光性の基材の一方の面側に複数の金属線を所定間隔で形成してなり、
前記金属線は、明所視で人間の感度が略最大となる波長の反射率が鏡の反射面として用いられる材料よりも低い材料からなる、
ことを特徴とする液晶パネル。
【請求項２】
電圧の印加に応じて透過状態と反射状態とに切り替わる液晶パネルであって、
液晶層と、前記液晶層に前記電圧を印加するための透明電極とを含む液晶素子と、
前記液晶素子の一方側に設けられた第１反射型偏光部材と、
前記液晶素子の他方側に設けられ、前記第１反射型偏光部材と前記液晶素子を挟んで対向する第２反射型偏光部材と、を備え、
前記反射状態においては、前記第１反射型偏光部材側から入射して前記液晶素子を透過した光が、前記第２反射型偏光部材の反射軸に沿う偏光軸の光となり、前記第２反射型偏光部材で反射され、
前記透過状態においては、前記第１反射型偏光部材側から入射して前記液晶素子を透過した光が、前記第２反射型偏光部材の反射軸と交差する透過軸に沿う偏光軸の光となり、前記第２反射型偏光部材を透過し、
前記第１反射型偏光部材は、透光性の基材の一方の面側に複数の金属線を所定間隔で形成してなり、
前記金属線は、明所視で人間の感度が略最大となる波長の反射率が５９％以下の材料からなる、
ことを特徴とする液晶パネル。
【請求項３】
前記波長は、５５０〜５６０ｎｍの範囲内である、
ことを特徴とする請求項１または２に記載の液晶パネル。
【発明の詳細な説明】
【技術分野】
【０００１】
本発明は、液晶パネルに関する。
【背景技術】
【０００２】
特許文献１には、一対の基板間に封入された液晶層と、該一対の基板を挟んで位置する２つの反射型偏光部材とを備え、透過状態と鏡状態（反射状態）とに切替可能な液晶パネルが開示されている。特許文献１の液晶パネルは、透過状態において背後に位置する対象（同文献では画像表示部）を視認可能とする。
【先行技術文献】
【特許文献】
【０００３】
【特許文献１】特許第３４１９７６６号公報
【発明の概要】
【発明が解決しようとする課題】
【０００４】
この種の液晶パネルにおいては、観察者側の反射型偏光部材で外光の一部（反射型偏光部材の反射軸に沿う偏光軸の光）が反射されるため、透過状態においては外光の映り込みが、鏡状態においては二重像が、それぞれ顕著に発生してしまう問題がある。特許文献１の液晶パネルは、当該反射型偏光部材と観察者との間に可変偏光選択部材を配置しているが、部品点数の増加や制御の煩雑さを招く。
【０００５】
本発明は、上記実情に鑑みてなされたものであり、透過状態における外光の映り込みや反射状態における二重像が抑制された液晶パネルを提供することを目的とする。
【課題を解決するための手段】
【０００６】
上記目的を達成するため、本発明の第１の観点に係る液晶パネルは、
電圧の印加に応じて透過状態と反射状態とに切り替わる液晶パネルであって、
液晶層と、前記液晶層に前記電圧を印加するための透明電極とを含む液晶素子と、
前記液晶素子の一方側に設けられた第１反射型偏光部材と、
前記液晶素子の他方側に設けられ、前記第１反射型偏光部材と前記液晶素子を挟んで対向する第２反射型偏光部材と、を備え、
前記反射状態においては、前記第１反射型偏光部材側から入射して前記液晶素子を透過した光が、前記第２反射型偏光部材の反射軸に沿う偏光軸の光となり、前記第２反射型偏光部材で反射され、
前記透過状態においては、前記第１反射型偏光部材側から入射して前記液晶素子を透過した光が、前記第２反射型偏光部材の反射軸と交差する透過軸に沿う偏光軸の光となり、前記第２反射型偏光部材を透過し、
前記第１反射型偏光部材は、透光性の基材の一方の面側に複数の金属線を所定間隔で形成してなり、
前記金属線は、明所視で人間の感度が略最大となる波長の反射率が鏡の反射面として用いられる材料よりも低い材料からなる、
ことを特徴とする。
【０００７】
上記目的を達成するため、本発明の第２の観点に係る液晶パネルは、
電圧の印加に応じて透過状態と反射状態とに切り替わる液晶パネルであって、
液晶層と、前記液晶層に前記電圧を印加するための透明電極とを含む液晶素子と、
前記液晶素子の一方側に設けられた第１反射型偏光部材と、
前記液晶素子の他方側に設けられ、前記第１反射型偏光部材と前記液晶素子を挟んで対向する第２反射型偏光部材と、を備え、
前記反射状態においては、前記第１反射型偏光部材側から入射して前記液晶素子を透過した光が、前記第２反射型偏光部材の反射軸に沿う偏光軸の光となり、前記第２反射型偏光部材で反射され、
前記透過状態においては、前記第１反射型偏光部材側から入射して前記液晶素子を透過した光が、前記第２反射型偏光部材の反射軸と交差する透過軸に沿う偏光軸の光となり、前記第２反射型偏光部材を透過し、
前記第１反射型偏光部材は、透光性の基材の一方の面側に複数の金属線を所定間隔で形成してなり、
前記金属線は、明所視で人間の感度が略最大となる波長の反射率が５９％以下の材料からなる、
ことを特徴とする。
【発明の効果】
【０００８】
本発明によれば、透過状態における外光の映り込みや反射状態における二重像が抑制された液晶パネルを提供することができる。
【図面の簡単な説明】
【０００９】
【図１】本発明の一実施形態に係る液晶パネルの概略断面図である。
【図２】（ａ）は反射状態を説明するための図であり、（ｂ）は透過状態を説明するための図である。
【図３】（ａ）は、第１反射型偏光部材を示す平面図であり、（ｂ）は、第１反射型偏光部材のＡ−Ａ線拡大断面図である。
【発明を実施するための形態】
【００１０】
本発明の一実施形態を、図面を参照して説明する。
【００１１】
この実施形態に係る液晶パネル１００は、ねじれネマティック（ＴＮ（Twisted Nematic））型の液晶パネルであり、概略断面視で図１に示すように構成されている。液晶パネル１００は、透過状態と反射状態に切替え可能に構成されている。透過状態における液晶パネル１００は、図２（ａ）（ｂ）に示すように背後に配置された表示部２００の表示像を観察者１に透かして視認させる。一方、反射状態における液晶パネル１００は、図２（ａ）に示すように外光ＮＬなどを観察者１に向けて反射させる鏡として機能する。
【００１２】
なお、以下では、説明の理解を容易とするため、液晶パネル１００の観察者１側を「表側」、その反対側を「裏側」とし、各部を説明する。また、図面の見易さを考慮して、図１及び図２（ａ）（ｂ）においては、適宜、断面を示すハッチングを省略した。また、液晶パネル１００の機能を説明するための図２（ａ）（ｂ）においては、適宜の部材を省略した。
【００１３】
液晶パネル１００は、図１に示すように、液晶素子１０と、液晶素子１０の表側に位置する第１反射型偏光部材２１と、液晶素子１０の裏側に位置する第２反射型偏光部材２２と、を備える。図示しないが、平面視における液晶パネル１００は、例えば、略矩形状をなしている。
【００１４】
液晶素子１０は、図１に示すように、第１基板１１と、第２基板１２と、液晶層１３と、を備える。
【００１５】
第１基板１１及び第２基板１２は、互いに対向する一対の透明基板であり、例えば、ガラス、プラスチック等から構成されている。第１基板１１と第２基板１２とは、液晶層１３を挟んで対向するように、且つ、互いの主面（対向面）が平行となるように配置されている。第１基板１１は、液晶層１３の表側に位置する。
【００１６】
第１基板１１の液晶層１３側には、透明電極１１ａが設けられている。第２基板１２の液晶層１３側には、透明電極１２ａが設けられている。透明電極１１ａ，１２ａは、スパッタ、蒸着、エッチング等の公知の手法により形成されている。この実施形態においては、透明電極１１ａ，１２ａは、各々、対応する基板面にベタ状に形成され、平面視で略矩形状をなしている。透明電極１１ａ，１２ａは、酸化インジウムを主成分とするＩＴＯ（Indium Tin Oxide）膜等から構成されている。透明電極１１ａ，１２ａを介しての液晶層１３への電圧の印加は、パッシブとアクティブのいずれの駆動方式であってもよい。
【００１７】
また、第１基板１１及び第２基板１２の各々には、図示しない絶縁膜や配向膜が形成されている。絶縁膜は、シリコン系の絶縁膜からなり、透明電極１１ａ，１２ａの各々を液晶層１３側から覆うように形成されている。また、絶縁膜と液晶層１３との間には、配向膜が形成されている。つまり、第１基板１１には、透明電極１１ａ、絶縁膜、及び配向膜が積層形成されている。また、第２基板１２には、透明電極１２ａ、絶縁膜、及び配向膜が積層形成されている。
【００１８】
配向膜は、液晶層１３と接し、液晶層１３が含む液晶分子１３ａ（図２（ａ）（ｂ）において模式的に表した）の配向状態を規定するためのものであり、例えばポリイミドから、公知の方法（例えば、フレクソ印刷）によって形成される。配向膜には、ラビング処理が施されている。この実施形態においては、表側の配向膜（つまり、第１基板１１に形成された配向膜）のラビング方向と、裏側（つまり、第２基板１２に形成された配向膜）のラビング方向とは、基板法線方向（第１基板１１と第２基板１２の対向面の法線方向）から見て略直交（丁度、直交も含む）する。このようにラビング処理が施された両配向膜により、液晶分子１３ａの配向が規制されている。なお、配向膜に施される配向処理は、ラビング処理に限らず、光配向処理、突起配向処理等の他の公知の処理によってもよい。
【００１９】
液晶層１３は、第１基板１１及び第２基板１２を接合するためのシール材（図示せず）と両基板とによって形成される密閉空間に液晶材が封入されることによって形成される。液晶層１３の厚み（セルギャップ）は、第１基板１１と第２基板１２との間に設けられたスペーサ（図示せず）によって規定されている。液晶層１３の液晶分子１３ａは、配向膜の配向規制力により、その長軸の向きが液晶層１３の第１基板１１側の端部と第２基板１２側の端部とで９０°ねじれる（ツイスト角が９０°）とともに、一方の基板側から他方の基板側にいくにつれて少しずつ回転（旋回）するように配向する（カイラル構造）。このようにして、電圧無印加時における液晶層１３は、カイラリティを有する。
【００２０】
第１反射型偏光部材２１は、板状（薄膜状である場合を含む）であり、透過軸（以下、第１透過軸ともいう）と、第１透過軸と直交する反射軸（以下、第１反射軸ともいう）とを有する。第１反射型偏光部材２１は、入射した光のうち、第１透過軸と平行な偏光方向の光を透過させ、第１反射軸と平行な偏光方向の光を反射させる。第１反射型偏光部材２１は、いわゆるワイヤーグリッド偏光部材である。第１反射型偏光部材２１の詳細については後で述べる。
【００２１】
第２反射型偏光部材２２は、板状（薄膜状である場合を含む）であり、透過軸（以下、第２透過軸ともいう）と、第２透過軸と直交する反射軸（以下、第２反射軸ともいう）とを有する。第２反射型偏光部材２２は、入射した光のうち、第２透過軸と平行な偏光方向の光を透過させ、第２反射軸と平行な偏光方向の光を反射させる。第２反射型偏光部材２２は、公知の反射型偏光部材を用いることができ、ワイヤーグリッド偏光部材のほか、ＤＢＥＦ（３Ｍ社製）のような多層膜構造の反射型偏光部材を用いることができる。
【００２２】
この実施形態では、基板法線方向から見て、第１反射型偏光部材２１の第１透過軸と、第２反射型偏光部材２２の第２透過軸とが互いに略平行（丁度、平行も含む）となるように、両偏光部材は配置されている（平行ニコル配置）。また、表側の配向膜（つまり、第１基板１１に形成された配向膜）のラビング方向と、第１反射型偏光部材２１の第１反射軸が沿う方向とが、平行となるように設定されている。
【００２３】
第１反射型偏光部材２１は、第１基板１１の表側の面に、第１透明粘着膜３１を介して貼り付けられている。第２反射型偏光部材２２は、第２基板１２の裏側の面に、第２透明粘着膜３２を介して貼り付けられている。なお、液晶素子１０と各偏光部材の間に、位相差板などの光学素子を設けてもよい。この場合は、液晶素子１０と偏光部材の間に位置する光学素子に、当該偏光部材を貼り付ければよい。
【００２４】
第１透明粘着膜３１、第２透明粘着膜３２は、各々、例えば、アクリル系の透明粘着剤（アクリル系ポリマー）等から構成されている。第１透明粘着膜３１は、第１反射型偏光部材２１の第１基板１１に貼り付けられる面に、透明粘着剤を塗工することで形成される。第２透明粘着膜３２は、第２反射型偏光部材２２の第２基板１２に貼り付けられる面に、透明粘着剤を塗工することで形成される。この実施形態では、第１透明粘着膜３１、第２透明粘着膜３２は、バーコーターやロールコーターなどの公知のコーティング法により塗工される。
【００２５】
以上の構成からなる液晶パネル１００は、透過状態においては、図２（ｂ）に示すように、表示部２００の表示光Ｌ（表示画像を表す光）を透過させる。液晶パネル１００の裏側に位置する表示部２００は、例えば、バックライトを有する液晶表示ディスプレイや、有機ＥＬ（Electro Luminescence）ディスプレイから構成され、液晶パネル１００に向かって画像を表示する。なお、透過状態の液晶パネル１００が透かして視認させる対象は、画像を表示する表示部２００に限られず、文字板や看板であったり、風景であったりしてもよい。
【００２６】
ここで、液晶パネル１００は、次のように反射状態と透過状態とに切替えが可能となっている。
【００２７】
（反射状態）
駆動電圧が印加されていない状態では、液晶表示素子１００では、図２（ａ）に示すように、液晶分子１３ａが実質的に基板面と平行であり、液晶層１３はカイラリティを有したままである。この状態で、外光ＮＬが液晶パネル１００の表側から入射すると、第１反射型偏光部材２１を透過して第１透過軸と平行な直線偏光となり、液晶層１３を透過すると、液晶層１３のカイラリティにより９０°偏光方向が変換されて、第２反射型偏光部材２２の第２反射軸に沿う直線偏光となるため、第２反射型偏光部材２２で反射される。この反射光は、液晶層１３を透過して、再び偏光方向が９０°変換されるため、第１反射型偏光部材２１を透過する。このようにして、液晶パネル１００は、反射状態においては鏡として機能する。以下では、反射状態の液晶パネル１００のうち、鏡として機能する部分をアクティブエリアと呼ぶ。
【００２８】
一方、表示光Ｌが液晶パネル１００の裏側から入射すると、第２反射型偏光部材２２を透過して第２透過軸と平行な直線偏光となり、液晶層１３を透過すると、９０°偏光方向が変換されて、第１反射型偏光部材２１の第１反射軸に沿う直線偏光となるため、吸収型偏光部材２１を透過できない。このように、表示光Ｌは液晶パネル１００の表側には進めないため、仮に表示光Ｌが液晶パネル１００に入射したとしても表示部２００の表示画像は観察者１に視認されない。なお、表示光Ｌは、表示部２００を出射する際に、第２透過軸と平行な直線偏光としてもよい。
【００２９】
（透過状態）
駆動電圧の印加時においては、液晶パネル１００では、図２（ｂ）に示すように、液晶分子１３ａは、電圧の印加方向（基板法線方向）に沿うように配向し、そのカイラリティが失われる。この状態で、表示光Ｌが液晶パネル１００の裏側から入射すると、第２反射型偏光部材２２を透過して第２透過軸と平行な直線偏光となるが、液晶層１３を透過しても偏光方向は変換されないため、第２透過軸と平行な第１透過軸を有する第１反射型偏光部材２１を透過する。このようにして、液晶パネル１００は、表示光Ｌを透過させ、表示部２００の表示画像を透かして視認させる。
なお、外光ＮＬが液晶パネル１００の表側から入射すると、第１反射型偏光部材２１を透過して第１透過軸と平行な直線偏光のまま液晶層１３を透過するため、第１透過軸と平行な第２透過軸を有する第２反射型偏光部材２２を透過し、第２反射型偏光部材２２では反射しない（漏れ光による反射は除く）。
【００３０】
次に、図３を用いて第１反射型偏光部材２１の詳細について述べる。
【００３１】
第１反射型偏光部材２１は、板状（薄膜状である場合を含む）である透光性の（望ましくは透明の）基材２１ａの一方の面側に複数の金属線２１ｂを互いに平行に所定間隔で形成してなるものである。図３に示す例では、金属線２１ｂは、基材２１ａの表面側に形成されている。なお、金属線２１ｂは、基材２１ａの裏面側に形成されてもよい。複数の金属線２１ｂは、１００〜数百ｎｍ程度の任意の間隔で形成される。第１反射型偏光部材２１においては、金属線２１ｂの長手方向に対して直交する方向が第１透過軸となり、金属線２１ｂの長手方向に対して平行な方向が第１反射軸となる。
【００３２】
基材２１ａは、ガラスなどの無機材料やＴＡＣ（トリアセチルセルロース）などの樹脂材料からなる。なお、図３（ｂ）では、図を簡易に示すために基材２１ａの両面が平面状に示されているが、金属線２１ｂの形成面に微細な凹凸が形成されていてもよい。
【００３３】
金属線２１ｂは、少なくとも可視光の反射率の低い金属材料からなる。金属線２１ｂは、蒸着やエッチングなどの任意の方法によって基材２１ａの面上に形成される。一般的な（従来の）ワイヤーグリッド型偏光部材における金属線は、鏡の反射面として使用されるような可視光の反射率が高い金属材料（以下、高反射金属材料ともいう）からなる。高反射金属材料としては、例えばＡｌ（アルミニウム）、Ａｇ（銀）、Ｐｔ（白金）、Ｃｒ（クロム）またはこれらの合金が挙げられる。これに対し、本実施形態の金属線２１ｂは、これら高反射金属材料よりも明所視（ある程度以上輝度の高い場所で見た場合）で人間の感度が略最大となる波長（具体的には５５０〜５６０ｎｍの範囲であり、より詳細には５５５ｎｍ）の反射率が低い金属材料（以下、低反射金属材料ともいう）からなる。低反射金属材料としては、Ｍｏ（モリブデン）、Ｔｉ（チタン）、Ｗ（タングステン）などが挙げられる。低反射金属材料を反射率の観点で述べると、明所視で人間の感度が略最大となる前記波長の反射率が５９％以下（より望ましくは５３．１％以下）の金属材料である。具体的に、略５５０ｎｍにおける反射率はそれぞれ、Ｍｏが約４６．２％、Ｔｉが約３４．６％、Ｗが５３．１％である。なお、これらの反射率は５５５ｎｍの波長に対しても同等程度である。一方、高反射金属材料の略５５０ｎｍにおける反射率はそれぞれ、Ａｌが約９１．６％、Ａｇが約９７．９％、Ｐｔが約７２．６％、Ｃｒが約５９．２％である。
【００３４】
前述のように、外光ＮＬが液晶パネル１００の表側から入射すると、第１反射型偏光部材２１を透過して第１透過軸と平行な直線偏光となる。より詳細に述べると、図３（ｂ）に示すように、外光ＮＬのうち、第１透過軸と平行な偏光方向の光ＮＬ１が第１反射型偏光部材２１を透過し、第１反射軸と平行な偏光方向の光ＮＬ２が第１反射型偏光部材２１の金属線２１ｂで反射する（偏光分離）。したがって、何ら対策を施さないと、明るい環境下などで外光ＮＬの輝度が高くなると金属線２１ｂで反射される第１反射軸と平行な偏光方向の光ＮＬ２が多くなり、透過状態における外光ＮＬの映り込みや反射状態における二重像を顕著に生じさせる。これに対し、本実施形態においては、金属線２１ｂを低反射金金属材料で形成したため、他の部材を追加することなく、金属線２１ｂで反射される光ＮＬ２が低減され、透過状態における外光ＮＬの映り込みや反射状態における二重像を抑制することができる。また、液晶パネル１００の表側に吸収型偏光部材を用いる場合と比較して、金属線２１ｂでの反射光を利用可能であるため、反射状態におけるアクティブエリアの明るさを用途に応じて適宜調整することができる。
【００３５】
また、金属線２１ｂにおける可視光の反射は、低反射金属材料によるものに加え、金属線２１ｂの幅を狭くすることによってさらに低減してもよい。
【００３６】
本実施形態の液晶パネル１００は、電圧の印加に応じて透過状態と反射状態とに切り替わる液晶パネルであって、
液晶層１３と、液晶層１３に前記電圧を印加するための透明電極１１ａ、１２ａとを含む液晶素子１０と、
液晶素子１０の一方側に設けられた第１反射型偏光部材２１と、
液晶素子１０の他方側に設けられ、第１反射型偏光部材２１と液晶素子１３を挟んで対向する第２反射型偏光部材２２と、を備え、
前記反射状態においては、第１反射型偏光部材２１側から入射して液晶素子１３を透過した光が、第２反射型偏光部材２２の反射軸に沿う偏光軸の光となり、第２反射型偏光部材２２で反射され、
前記透過状態においては、第１反射型偏光部材２１側から入射して液晶素子１３を透過した光が、第２反射型偏光部材２２の反射軸と交差する透過軸に沿う偏光軸の光となり、第２反射型偏光部材２２を透過し、
第１反射型偏光部材２１は、透光性の基材２１ａの一方の面側に複数の金属線２１ｂを所定間隔で形成してなり、
金属線２１ｂは、明所視で人間の感度が略最大となる波長の反射率が鏡の反射面として用いられる材料よりも低い材料からなる。
これによれば、透過状態における外光の映り込みや反射状態における二重像を抑制することができる。
【００３７】
本実施形態の液晶パネル１００は、電圧の印加に応じて透過状態と反射状態とに切り替わる液晶パネルであって、
液晶層１３と、液晶層１３に前記電圧を印加するための透明電極１１ａ、１２ａとを含む液晶素子１０と、
液晶素子１０の一方側に設けられた第１反射型偏光部材２１と、
液晶素子１０の他方側に設けられ、第１反射型偏光部材２１と液晶素子１０を挟んで対向する第２反射型偏光部材２２と、を備え、
前記反射状態においては、第１反射型偏光部材２１側から入射して液晶素子１０を透過した光が、第２反射型偏光部材２２の反射軸に沿う偏光軸の光となり、第２反射型偏光部材２２で反射され、
前記透過状態においては、第１反射型偏光部材２１側から入射して液晶素子１０を透過した光が、第２反射型偏光部材２２の反射軸と交差する透過軸に沿う偏光軸の光となり、第２反射型偏光部材２２を透過し、
第１反射型偏光部材２１は、透光性の基材２１ａの一方の面側に複数の金属線２１ｂを所定間隔で形成してなり、
金属線２１ｂは、明所視で人間の感度が略最大となる波長の反射率が５９％以下の材料からなる。
これによれば、透過状態における外光の映り込みや反射状態における二重像を抑制することができる。
【００３８】
また、前記波長は、５５０〜５６０ｎｍの範囲内である。
【００３９】
なお、本発明は上記の実施形態及び図面によって限定されるものではない。これらに変更（構成要素の削除も含む）を加えることができるのはもちろんである。
【００４０】
以上の説明では、液晶パネル１００において、第１反射型偏光部材２１の第１透過軸と第２反射型偏光部材２２の第２透過軸とを平行に設定し、駆動電圧が印加されていない際に反射状態となり、駆動電圧の印加時に透過状態となる例（ノーマリ反射）を示したが、これに限られない。第１反射型偏光部材２１の第１透過軸と、第２反射型偏光部材２２の第２透過軸とを略直交に設定し、駆動電圧の印加時に反射状態とし、駆動電圧が印加されていない状態で透過状態となるように液晶パネル１００を構成してもよい（ノーマリ透過）。ノーマリ透過の例では、液晶パネル１００は、次のように反射状態と透過状態とに切り替えが可能となる。
【００４１】
（反射状態）
駆動電圧の印加時においては、液晶パネル１００では、前述のように、液晶分子１３ａは、電圧の印加方向（基板法線方向）に沿うように配向し、そのカイラリティが失われる。この状態で、外光ＮＬが液晶パネル１００の表側から入射すると、第１反射型偏光部材２１を透過して第１透過軸と平行な直線偏光のまま液晶層１３を透過するため、第１透過軸と平行な第２反射型偏光部材２２の第２反射軸に沿う直線偏光となり、第２反射型偏光部材２２で反射される。この反射光は、そのまま再び液晶層１３を透過して、第２反射軸と略直交する第１透過軸を有する第１反射型偏光部材２１を透過する。このようにして、液晶パネル１００は、反射状態においては鏡として機能する。
一方、表示光Ｌが液晶パネル１００の裏側から入射すると、第２反射型偏光部材２２を透過して第２透過軸と平行な直線偏光となり、そのまま液晶層１３を透過するため、第２透過軸と平行な第１反射軸を有する第１反射型偏光部材２１を透過できない。このように、表示光Ｌは液晶パネル１００の表側には進めないため、仮に表示光Ｌが液晶パネル１００に入射したとしても表示部２００の表示画像は観察者１に視認されない。
【００４２】
（透過状態）
駆動電圧が印加されていない状態では、液晶パネル１００では、前述のように、液晶分子１３ａが実質的に基板面と平行であり、液晶層１３はカイラリティを有したままである。この状態で、表示光Ｌが液晶パネル１００の裏側から入射すると、第２反射型偏光部材２２を透過して第２透過軸と平行な直線偏光となり、液晶層１３を透過すると、液晶層１３のカイラリティにより９０°偏光方向が変換されて、第２透過軸と略直交する第１透過軸を有する第１反射型偏光部材２１を透過する。このようにして、液晶パネル１００は、表示光Ｌを透過させ、表示部２００の表示画像を透かして視認させる。
なお、外光ＮＬが液晶パネル１００の表側から入射すると、第１反射型偏光部材２１を透過して第１透過軸と平行な直線偏光となり、液晶層１３を透過すると、液晶層１３のカイラリティにより９０°偏光方向が変換されて、第１透過軸と平行な反射型偏光部材２２の第２反射軸と略直交する第２透過軸に沿う直線偏光となり、第２透過軸を有する第２反射型偏光部材２２を透過し、第２反射型偏光部材２２では反射しない（漏れ光による反射は除く）。
【００４３】
また、液晶パネル１００の用途も任意である。時計や携帯端末（例えば、透過状態で液晶パネル１００の裏側にある表示部２００による情報表示を行い、反射状態では鏡として機能）や、所定の窓の透過・反射制御（例えば、透過状態で景色を透過する窓となり、反射状態で鏡として機能）や、車のサイドミラーやルームミラー（例えば、透過状態で液晶パネル１００の裏側にある表示部２００により車両情報やカメラ画像を表示）など種々の用途に適用可能である。
【００４４】
また、以上では、基板法線方向から見た場合の液晶パネル１００が略矩形状であるとしたが、円形状、多角形状などであってもよく、形状は用途に応じて任意である。同様に、基板法線方向から見た場合の透明電極１１ａ、１２ａの形状も任意である。
【００４５】
また、以上では、液晶素子１０がツイスト角が９０°であるＴＮ型の液晶である例を示したが、これに限られない。前記した反射状態と透過状態とが液晶層１３への電圧の印加に応じて実現可能であれば、ツイスト角は、９０°未満であってもよいし、９０°より大きくてもよい。例えば、液晶素子１０は、ＳＴＮ（Super Twisted Nematic）型のものであってもよい。また、反射状態と透過状態とが液晶層１３への電圧の印加に応じて実現可能であれば、第１反射型偏光部材２１の第１透過軸と、第２反射型偏光部材２２の第２透過軸とは、平行又は直交の関係でなくともよいし、これらの光学軸と配向膜のラビング方向とも、平行又は直交の関係でなくともよい。透過状態での視角特性や反射状態での反射特性を勘案して、各光学軸を適宜ずらすことも可能である。
【００４６】
以上の説明では、本発明の理解を容易にするために、公知の技術的事項の説明を適宜省略した。
【産業上の利用可能性】
【００４７】
本発明は、液晶パネルに好適である。
【符号の説明】
【００４８】
１００…液晶パネル
１０…液晶素子
１１…第１基板、１１ａ…透明電極、１２…第２基板、１２ａ…透明電極
１３…液晶層、１３ａ…液晶分子
２１…第１反射型偏光部材、２１ａ…基材、２１ｂ…金属線
２２…第２反射型偏光部材
３１…第１透明粘着膜
３２…第２透明粘着膜
【図１】
2018180470.tif 000003
【図２】
2018180470.tif 000004
【図３】
2018180470.tif 000005